【手続補正書】
【提出日】平成19年4月19日(2007.4.19)
【手続補正１】
【補正対象書類名】特許請求の範囲
【補正対象項目名】全文
【補正方法】変更
【補正の内容】
【特許請求の範囲】
【請求項１】
【化１】
2006524744.tif 000001
［式中、Ｒは、ポリオール、ポリアミン又はアミノアルコール開始剤の残基であり、Ｘ及びＸ′は、同じか又は異なっていてよく、そしてＯ、Ｎ又はＮＨであり、ｐは１〜５の整数であり、ｑは１〜５の整数であり（但し、ｐ＋ｑは３〜８である）、ｔは３〜８の整数であり、そしてＡは、同じか又は異なっていてよく、そしてＡ１、Ａ２及びＡ３からなる群から選択され、ここで、Ａ１は
【化２】
2006524744.tif 000002
であり、Ａ２は、
【化３】
2006524744.tif 000003
であり、Ａ３は、
【化４】
2006524744.tif 000004
（式中、ｍ、ｎ、ｖ、ｒ、ｓ、ａ、ｂ及びｃは整数であり、ｍは３よりも大きく、ｎはゼロ又はそれ以上でありそしてｍ＋ｎは１１〜１９であり、ｖは３よりも大きく、ｒはゼロ以上であり、ｓはゼロ又はそれ以上であり、そしてｖ＋ｒ＋ｓは１０〜１８であり、ａは０〜３５であり、ｂは０〜３５であり、そしてｃは０〜３５であるが、植物油系ポリオールの任意の分子中の全てのａ、ｂ及びｃは全てゼロではなく、そして（ａ＋ｂ＋ｃ）／（ｐ＋ｑ＋ｔ）は植物油系ポリオール中で５〜１００である）
である］
を含んでなる植物油系ポリオール。
【請求項２】
Ａの少なくとも一部がＡ３である請求項１に記載の植物油系ポリオール。
【請求項３】
植物油系ポリオール中に存在するＡ３の量が植物油系ポリオールの少なくとも０．０１重量％で２５重量％までである請求項２に記載の植物油系ポリオール。
【請求項４】
開始剤が第一級ヒドロキシル又は第一級アミン及び第二級ヒドロキシル又は第二級アミン基を有するポリオール、ポリアミン又はアミノアルコールである請求項１に記載の植物油系ポリオール。
【請求項５】
開始剤が第二級ヒドロキシル基を有する請求項４に記載の植物油系ポリオール。
【請求項６】
植物油系ポリオールの少なくとも一部が構造：
【化５】
2006524744.tif 000005
（式中、少なくとも１個のＸ′−Ｈ基は第一級ヒドロキシル又は第一級アミンであり、そして少なくとも１個のＸ−Ａ−Ｈは開始剤の第二級ヒドロキシル又は第二級アミンに対応する位置に配置されている）
を有する請求項４に記載の植物油系ポリオール。
【請求項７】
植物油系ポリオールの少なくとも一部が、構造
【化６】
2006524744.tif 000006
（式中、Ｘ′−Ｈ基の全ては第一級ヒドロキシル又は第一級アミンであり、そしてＸ−Ａ−Ｈ基の全ては開始剤の第二級ヒドロキシル又は第二級アミンに対応する位置に配置されている）
を有する請求項６に記載の植物油系ポリオール。
【請求項８】
開始剤がトリメチロールプロパン、ペンタエリスリトール、ソルビトール、スクロース、グリセロール、ビス−３−アミノプロピルメチルアミン、ジエチレントリアミン、９（１）−ヒドロキシメチルオクタデカノール、１，２，６−ヘキサントリオール、その中に存在するアルコール又はアミン基の少なくとも１個がエチレンオキシド、プロピレンオキシド又はこれらの混合物と反応している上記のもののいずれか及びこれらの組合せからなる群から選択される請求項７に記載の植物油系ポリオール。
【請求項９】
開始剤がグリセロール、ペンタエリスリトール、スクロース、ソルビトール、エトキシル化グリセロール、プロポキシル化グリセロール、エトキシル化ペンタエリスリトール、プロポキシル化グリセロール又はこれらの混合物である請求項１に記載の植物油系ポリオール。
【請求項１０】
開始剤がグリセロール又はグリセロールのアルコール基の少なくとも１個が、エチレンオキシド又はプロピレンオキシドと反応しているグリセロールである請求項１に記載の植物油系ポリオール。
【請求項１１】
開始剤がグリセロールである請求項１０に記載の植物油系ポリオール。
【請求項１２】
【化７】
2006524744.tif 000007
［式中、Ｒはポリオール、ポリアミン又はアミノアルコール開始剤の残基であり、Ｘ及びＸ′は、同じか又は異なっていてよく、そしてＯ、Ｎ又はＮＨであり、ｐは１〜５の整数であり、ｑは１〜５の整数であり（但し、ｐ＋ｑは２〜８である）、ｔは２〜８の整数であり、そしてＡは、同じか又は異なっていてよく、そしてＡ１、Ａ２及びＡ３からなる群から選択され、ここで、Ａ１は
【化８】
2006524744.tif 000008
であり、Ａ２は、
【化９】
2006524744.tif 000009
であり、Ａ３は、
【化１０】
2006524744.tif 000010
（式中、ｍ、ｎ、ｖ、ｒ、ｓ、ａ、ｂ及びｃは整数であり、ｍは３よりも大きく、ｎはゼロ又はそれ以上でありそしてｍ＋ｎは１１〜１９であり、ｖは３よりも大きく、ｒはゼロ以上であり、ｓはゼロ又はそれ以上でありそしてｖ＋ｒ＋ｓは１０〜１８であり、ａは０〜３５であり、ｂは０〜３５であり、そしてｃは０〜３５であるが、全てのａ、ｂ及びｃは、本質的に全てゼロではなく、Ａの少なくとも一部はＡ３であり、そして（ａ＋ｂ＋ｃ）／（ｐ＋ｑ＋ｔ）は植物油系ポリオール中で０よりも大きく１００までである）
である］
を含んでなる植物油系ポリオール。
【請求項１３】
（ａ＋ｂ＋ｃ）／（ｐ＋ｑ＋ｔ）が０．５〜５０である請求項１２に記載の植物油系ポリオール。
【請求項１４】
（ａ＋ｂ＋ｃ）／（ｐ＋ｑ＋ｔ）が１〜２５である請求項１３に記載の植物油系ポリオール。
【請求項１５】
開始剤が第二級ヒドロキシル基を有する請求項１２に記載の植物油系ポリオール。
【請求項１６】
植物油系ポリオールの少なくとも一部が、構造：
【化１１】
2006524744.tif 000011
（式中、少なくとも１個のＸ′−Ｈ基は第一級ヒドロキシル又は第一級アミンであり、そして少なくとも１個のＸ−Ａ−Ｈは開始剤の第二級ヒドロキシル又は第二級アミンに対応する位置に配置されている）
を有する請求項１２に記載の植物油系ポリオール。
【請求項１７】
植物油系ポリオールの少なくとも一部が、構造
【化１２】
2006524744.tif 000012
（式中、Ｘ′−Ｈ基の全ては第一級ヒドロキシル又は第一級アミンであり、そしてＸ−Ａ−Ｈ基の全ては開始剤の第二級ヒドロキシル又は第二級アミンに対応する位置に配置されている）
を有する請求項１６に記載の植物油系ポリオール。
【請求項１８】
開始剤がグリセロールである請求項１７に記載の植物油系ポリオール。
【請求項１９】
開始剤がネオペンチルグリコール、１，４−シクロヘキサンジオール、２，５−ヘキサンジオール、１，６−ヘキサンジオール、１，２−プロピレングリコール、トリメチロールプロパン、ペンタエリスリトール、ソルビトール、スクロース、グリセロール、１，６−ヘキサンジオール、１，４−ブタンジオール、エチレングリコール、ジエチレングリコール、トリエチレングリコール、ビス−３−アミノプロピルメチルアミン、エチレンジアミン、ジエチレントリアミン、９（１）−ヒドロキシメチルオクタデカノール、１，４−ビスヒドロキシメチルシクロヘキサン、８，８−ビス（ヒドロキシメチル）トリシクロ［５，２，１，０2,6］デセン、ジメロールアルコール、水素化ビスフェノール、９，９（１０，１０）−ビスヒドロキシメチルオクタデカノール、１，２，６−ヘキサントリオール、その中に存在するアルコール又はアミン基の少なくとも１個が、エチレンオキシド、プロピレンオキシド又はこれらの混合物と反応している上記のもののいずれか及びこれらの組合せからなる群から選択される請求項１２に記載の植物油系ポリオール。
【請求項２０】
開始剤がグリセロール又はグリセロールのアルコール基の少なくとも１個がエチレンオキシド又はプロピレンオキシドと反応しているグリセロールである請求項１９に記載の植物油系ポリオール。
【請求項２１】
植物油系ポリオールが液体であり、そして少なくとも３５０の重量平均分子量を有する請求項１に記載の植物油系ポリオール。
【請求項２２】
重量平均分子量が少なくとも１５００である請求項２１に記載の植物油系ポリオール。
【請求項２３】
重量平均分子量が少なくとも１８００である請求項２２に記載の植物油系ポリオール。
【請求項２４】
植物油系ポリオールが液体であり、そして少なくとも３５０の重量平均分子量を有する請求項１２に記載の植物油系ポリオール。
【請求項２５】
重量平均分子量が少なくとも１５００である請求項２４に記載の植物油系ポリオール。
【請求項２６】
重量平均分子量が少なくとも１８００である請求項２５に記載の植物油系ポリオール。
【請求項２７】
ｉ）ポリオール、ポリアミン、アミノアルコール又はこれらの混合物である開始剤と、式：
【化１３】
2006524744.tif 000013
（式中、ｍ、ｎ、ｖ、ｒ及びｓは整数であり、ｍは３よりも大きく、ｎはゼロ以上でありそしてｍ＋ｎは１１〜１９であり、ｖは３よりも大きく、ｒはゼロ以上であり、ｓはゼロ以上でありそしてｖ＋ｒ＋ｓは１０〜１８である）
の少なくとも１個を有する植物油系モノマーとを混合し、そして
ｉｉ）この混合物を、反応温度に、反応時間、真空下でそして植物油系ポリオールを生成するために十分な量の触媒の存在下で加熱する
ことを含んでなる植物油系ポリオールの製造方法。
【請求項２８】
触媒がスズ触媒であり、触媒の量が全混合物の少なくとも１００ｐｐｍ重量である請求項２７に記載の方法。
【請求項２９】
触媒の量が少なくとも２５０ｐｐｍである請求項２８に記載の方法。
【請求項３０】
触媒がチタン触媒であり、触媒の量が少なくとも１００ｐｐｍ重量である請求項２７に記載の方法。
【請求項３１】
触媒の量が少なくとも５００ｐｐｍである請求項３０に記載の方法。
【請求項３２】
触媒がエチルヘプタン酸スズ（ＩＩ）、オクタン酸スズ（ＩＩ）、ジブチルスズ（ＩＶ）ジラウレート及びこれらの組合せからなる群から選択される請求項２８に記載の方法。
【請求項３３】
触媒がチタンテトライソプロポキシド、チタンテトライソブトキシド又はこれらの組合せである請求項３０に記載の方法。
【請求項３４】
触媒が酵素触媒である請求項２７に記載の方法。
【請求項３５】
触媒がリパーゼである請求項３４に記載の方法。
【請求項３６】
触媒が炭酸塩触媒を含む請求項２７に記載の方法。
【請求項３７】
触媒がＫ2ＣＯ3、ＮａＨＣＯ3又はこれらの組合せである請求項３６に記載の方法。
【請求項３８】
開始剤が少なくとも１個の第二級ヒドロキシル基又は第二級アミノ基を有する請求項２７に記載の方法。
【請求項３９】
開始剤がグリセロールである請求項２７に記載の方法。
【請求項４０】
開始剤が、反応温度及び真空で、植物油系モノマーの不存在下で、最大１２０分間で実質的に蒸発するような蒸発性を有する請求項２７に記載の方法。
【請求項４１】
ポリイソシアネートと請求項１に記載の植物系ポリオールとの反応生成物を含むポリウレタン。
【請求項４２】
ポリイソシアネートと請求項１２に記載の植物系ポリオールとの反応生成物を含むポリウレタン。
【請求項４３】
ｉ）触媒の存在下で、式：
【化１４】
2006524744.tif 000014
（式中、ｍ、ｎ、ｖ、ｒ及びｓは整数であり、ｍは３よりも大きく、ｎはゼロ以上でありそしてｍ＋ｎは１１〜１９であり、ｖは３よりも大きく、ｒはゼロ以上であり、ｓはゼロ以上でありそしてｖ＋ｒ＋ｓは１０〜１８である）
の少なくとも１個を有する植物油系モノマーを、ＶＯＢモノマーの幾らかの部分が反応するまで加熱し、続いて、
ｉｉ）ポリオール、ポリアミン、アミノアルコール又はこれらの混合物である開始剤を、工程（ｉ）の反応したＶＯＢモノマーに、真空下で、植物系ポリオールを生成するのに十分な時間及び温度で導入することを含んでなる植物系ポリオールの製造方法。
【請求項４４】
開始剤が工程（ｉｉ）の反応条件で蒸発性である請求項４３に記載の方法。